(57)【特許請求の範囲】
【請求項１】
隔壁で仕切られた複数のキャビティが形成されているハウジングと、
外面からスタビライザを突出させ、そのスタビライザが前記隔壁と平行となる向きで前記キャビティに挿入される端子金具と、
前記キャビティに挿入された前記端子金具の前記スタビライザに対して係止部を係止させることで、その端子金具を抜止めするリテーナとを備えたコネクタにおいて、
前記ハウジング内には、前記リテーナを嵌合させるための空間である取付部が、前記ハウジングの下面に開口するとともに、前記隔壁と直交する下面壁を貫通して前記複数のキャビティと連通する形態で形成されており、
前記スタビライザが、前記端子金具における前記隔壁とは直角な下面板のうち、幅方向においてその側縁よりも中央寄りの位置に配され、
前記リテーナの前記係止部は、前記各スタビライザに対して個別に係止可能な複数の突起状とされ、
前記隔壁には、前記複数の係止部とは非干渉であり、且つその隔壁を挟んで隣接する前記端子金具の前記スタビライザ同士の間に介在する形態の仕切り部が形成され、
前記隔壁と直交する前記下面壁の一部が、前記仕切部の下端から前記端子金具の前記下面板に沿いつつ前記隔壁と直交する方向へ前記スタビライザに向かって延出する形態の延長部とされていることを特徴とするコネクタ。
【請求項２】
前記リテーナには、前記仕切り部に向かって突出する形態の突壁が形成され、前記隔壁には前記突壁を嵌入させる嵌入凹部が形成されていることを特徴とする請求項１記載のコネクタ。
【請求項３】
前記端子金具の前記下面板の幅方向中央位置には、前記キャビティに設けたランスを係止させることでその端子金具を抜止めするためのランス孔が開口されており、そのランス孔の孔縁から前記スタビライザが突出されていることを特徴とする請求項１又は請求項２に記載のコネクタ。
【発明の詳細な説明】
【０００１】
【発明の属する技術分野】
本発明は、端子金具を抜け止めするためのリテーナを備えたコネクタに関するものである。
【０００２】
【従来の技術】
図１３及び図１４には、ハウジング１００に挿入した端子金具１０１をリテーナ１０２によって抜け止めするコネクタを示す。ハウジング１００内には、隔壁１０４で仕切られた左右一対のキャビティ１０５が形成されており、そのキャビティ１０５に端子金具１０１を挿入した後に、ハウジング１００にリテーナ１０２を組み付ける。端子金具１０１には、その外面から隔壁１０４と平行に突出する左右一対のスタビライザ１０６が形成され、リテーナ１０２に形成した係止部１０７がスタビライザ１０６に係止され、もって、端子金具１０１が抜止め状態とされる。
【０００３】
尚、端子金具のスタビライザにリテーナを係止させてその端子金具を抜止めするようにしたコネクタの一例としては、特開平４−９５３６７号に開示されているものがある。
【０００４】
【発明が解決しようとする課題】
上記のコネクタにおけるスタビライザ１０６は、端子金具１０１の側壁から面一状に延出した形態となっているため、隔壁１０４に接近した位置に配置されることになり、隔壁１０４を挟んで隣接する２つの端子金具１０１のスタビライザ１０６の間隔は隔壁１０４の厚さとほぼ同じ寸法となる。このように、従来では、２つのスタビライザ１０６が狭い間隔で隣接しているため、この隔壁１０４を挟んで隣接する２つのスタビライザ１０７に対するリテーナ１０２の係止部１０７は、１つに繋がった形態とされている。そして、係止部１０７が１つに繋がった形態とされているのに伴い、隔壁１０４には、その係止部１０７との干渉を回避するために切欠部１０８が形成されている。
【０００５】
ところが、切欠部１０８においては、隣接する２つのスタビライザ１０６の間に仕切りとして介在するものがないので、その両スタビライザ１０６を介して端子金具１０１間でリークが発生することが懸念される。
本願発明は上記事情に鑑みて創案され、隔壁を挟んで隣接する端子金具間でのリーク防止を図ることを目的としている。
【０００６】
【課題を解決するための手段】
請求項１の発明は、隔壁で仕切られた複数のキャビティが形成されているハウジングと、外面からスタビライザを突出させ、そのスタビライザが前記隔壁と平行となる向きで前記キャビティに挿入される端子金具と、前記キャビティに挿入された前記端子金具の前記スタビライザに対して係止部を係止させることで、その端子金具を抜止めするリテーナとを備えたコネクタにおいて、前記ハウジング内には、前記リテーナを嵌合させるための空間である取付部が、前記ハウジングの下面に開口するとともに、前記隔壁と直交する下面壁を貫通して前記複数のキャビティと連通する形態で形成されており、前記スタビライザが、前記端子金具における前記隔壁とは直角な下面板のうち、幅方向においてその側縁よりも中央寄りの位置に配され、前記リテーナの前記係止部は、前記各スタビライザに対して個別に係止可能な複数の突起状とされ、前記隔壁には、前記複数の係止部とは非干渉であり、且つその隔壁を挟んで隣接する前記端子金具の前記スタビライザ同士の間に介在する形態の仕切り部が形成され、前記隔壁と直交する前記下面壁の一部が、前記仕切部の下端から前記端子金具の前記下面板に沿いつつ前記隔壁と直交する方向へ前記スタビライザに向かって延出する形態の延長部とされている構成とした。
【０００７】
請求項２の発明は、請求項１の発明において、前記リテーナには、前記仕切り部に向かって突出する形態の突壁が形成され、前記隔壁には前記突壁を嵌入させる嵌入凹部が形成されている構成とした。
【０００８】
請求項３の発明は、請求項１又は請求項２の発明において、前記端子金具の前記下面板の幅方向中央位置には、前記キャビティに設けたランスを係止させることでその端子金具を抜止めするためのランス孔が開口されており、そのランス孔の孔縁から前記スタビライザが突出されている構成とした。
【０００９】
【発明の作用及び効果】
［請求項１の発明］
スタビライザを端子金具の外面における側縁よりも中央寄りの位置に配し、リテーナの係止部を各スタビライザと個別に係止するように複数に分離した形態としたので、隔壁には、係止部と干渉させずに仕切り部を設けることができた。この仕切り部が、隔壁を挟んで並ぶスタビライザの間に介在するので、両スタビライザ間の沿面距離が長くなり、端子金具同士の間のリークが防止される。
【００１０】
また、仕切り部に延長部を形成したことにより、隔壁を挟んで並ぶスタビライザの間の沿面距離が更に長くなり、両端子金具間のリーク防止効果が向上する。
［請求項２の発明］
仕切り部に嵌入凹部を形成したことにより、隔壁を挟んで並ぶスタビライザの間の沿面距離が更に長くなり、両端子金具間のリーク防止効果が向上する。
［請求項３の発明］
ランス孔の形成に伴って除去される外面板の一部をスタビライザとして利用することができるので、材料コストの低減を図ることができる。しかも、ランス孔の形成母体である外壁には、ランス孔とは別にスタビライザ形成用の専用開口を空けずに済むので、外面板の強度低下を回避することができる。
【００１１】
【発明の実施の形態】
［実施形態１］
以下、本発明を具体化した実施形態１を図１乃至図１０を参照して説明する。本実施形態のコネクタは、一対の端子金具２０と、この両端子金具２０が挿入されるハウジング１０と、このハウジング１０に組み付けられるリテーナ３０とを備えて構成され、ハウジング１０内に挿入した端子金具２０をリテーナ３０によって抜止めするようにしたものである。尚、以下の説明において、前後方向については図３における右側を前側ということにする。
【００１２】
ハウジング１０は合成樹脂材料からなり、その内部には前後方向に貫通する左右一対のキャビティ１１が、縦長平板状をなす隔壁１２で区画された状態で形成されている。ハウジング１０における隔壁１２と直交する下面壁には、各キャビティ１１の下面に沿い、且つ各キャビティ１１の幅方向中央において前方へ片持ち状に延出する形態のランス１３が形成されている。
また、ハウジング１０には、その下面にほほ全幅に亘って方形に開口するとともに一対のキャビティ１１の双方に連通する取付部１４が、下面壁を貫通するように形成されている。また、下面壁には、取付部１４とキャビティ１１の内部とを連通させる係止孔１５が、ランス１３を挟んで左右対称に一対貫通形成されている。この係止孔１５の前端縁は、ランス１３の係止突起１３ａよりも僅かに後方に位置している。
【００１３】
これらの係止孔１５のうち隔壁１２側に位置する係止孔１５は、幅方向において隔壁１２よりも中央寄りに位置し、キャビティ１１を構成する外側壁１６側に位置する係止孔１５は、幅方向において外側壁１６よりも中央寄りに位置している。したがって、隔壁１２と係止孔１５との間及び外側壁１６と係止孔１５との間には、下面壁の一部が隔壁１２の下端部に対して直角に連なる形態で残されている。そして、この隔壁１２の下端部は、キャビティ１１に挿入されて隔壁１２を挟んで隣接する２つの端子金具２０のスタビライザ２７の間に位置する仕切り部１７となっている。また、隔壁１２の下端部から係止孔１５に至る下面壁の一部は、仕切り部１７の下端から隔壁１２と直交する方向に延出する延長部１８となっている。さらに、仕切り部１７及び隔壁１２には、仕切り部１７の下端面に開口するとともに隔壁１２及び仕切り部１７と平行なスリット状をなす嵌入凹部１９が形成されている。仕切り部１７の下面は、キャビティ１１内の端子金具２０のスタビライザ２７よりも低い位置となるように設定されており、嵌入凹部１９の上端はスタビライザ２７よりも高い位置となるように設定されている。
【００１４】
尚、外側壁１６には、そのキャビティ１１に臨む内壁面を凹ませるとともに取付部１４に連通させた形態の抜止め用凹部１６ａが形成されており、この抜止め用凹部１６ａにはリテーナ３０を抜止め状態に係止させるための抜止め突起１６ｂが形成されている。
端子金具２０は、先端に扁平なタブ２１を有する雄型のものであって、タブ２１の後端には略角筒状をなす本体部２２が連成されているとともに、本体部２２の後端には電線圧着部２３が連成され、この電線圧着部２３に電線２４が圧着されている。本体部２２の隔壁１２と直交する方向の下面板２５には、その幅方向中央位置において方形に開口するランス孔２６が形成されている。また、このランス孔２６の開口縁のうち左右両側縁からは、左右一対のスタビライザ２７が下方へ隔壁１２と平行に下向きに突出している。このスタビライザ２７は、ランス孔２６を形成する際に下面板２５のうちランス孔２６の開口領域に対応する部分の一部をプレスで打ち出すことによって形成されている。かかる一対のスタビライザ２７の間隔は、ランス１３の幅寸法よりも僅かに大きい寸法とされ、スタビライザ２７は係止孔１５と対応するように配されている。
【００１５】
かかる端子金具２０は後方からキャビティ１１内に挿入され、端子金具２０が正規挿入された状態では、本体部２２の下面板２５がキャビティ１１の下面に当接するとともに、ランス１３の抜止め突起１３ａがランス孔２６に係止し、スタビライザ２７が係止孔１５内に突出するようになっている。
リテーナ３０は、合成樹脂材料からなり、ハウジング１０の取付部１４に嵌合される板状の基部３１を有する。基部３１の上面には、その左右両側縁から上向きに突出する一対の抜止め部３２が形成されている。抜止め部３２には上向きに片持ち状に延出する前後一対ずつの弾性係止片３３が形成され、この弾性係止片３３がハウジング１０の抜止め用凹部１６ａに進入してその抜止め突起１６ｂに係止することにより、リテーナ３０がハウジング１０に対して組付け状態に保持される。
【００１６】
基部３１の上面には、ハウジング１０の各係止孔１５と対応する２対の係止部３４が、各スタビライザ２７と対応するように形成されている。係止部３４は板状をなし、係止孔１５に対してほぼ緊密に嵌入される。かかる２対の係止部３４は、各スタビライザ２７に対して個別に係止可能な複数の突起状となっている。係止部３４の上端面は、リテーナ３０をハウジング１０に取り付けた状態においてキャビティ１１の下面とほぼ同じ高さ、即ちキャビティ１１に挿入された端子金具２０の本体部２２の下面とは干渉せず且つ挿入状態の端子金具２０のスタビライザ２７と係止し得る高さに設定されている。また、係止部３４の前端は、キャビティ１１に正規挿入された端子金具２０のスタビライザ２７の後端縁に対して僅かに後方の位置で対応するように設定されている。
【００１７】
基部３１の上面には、ハウジング１０の嵌入凹部１９と対応する板状の突壁３５が形成されている。この突壁３５は、リテーナ３０をハウジング１０に組み付けることによって嵌入凹部１９に対して前後左右へのガタ付きなく嵌入され、この組付け状態における突壁３５の上端面は、キャビティ１１に挿入された端子金具２０のスタビライザ２７よりも高い位置となるように設定されている。また、突壁３５の前端は係止部３４の前端（係止孔１５の前端縁）よりも前方に位置し、突壁３５の後端は係止部３４（係止孔１５の後端縁）よりも後方に位置している。つまり、前後方向における突壁３５の形成領域は、係止孔１５の形成領域をカバーするように大きい範囲とされている。
【００１８】
次に、本実施形態の作用を説明する。
リテーナ３０をハウジング１０から外した状態で、端子金具２０をキャビティ１１に挿入すると、端子金具２０のランス孔２６がランス１３の抜止め突起１３ａに係止することにより端子金具２０が抜止め状態に保持されるとともに、スタビライザ２７が係止孔１５内に位置する。
この後、リテーナ３０を下方からハウジング１０に組み付けると、突壁３５が嵌入凹部１９内に嵌入されるとともに、各係止部３４が係止孔１５に嵌入してその係止孔１５内のスタビライザ２７に対して後方から係止する。この係止部３４によるスタビライザ２７への二次係止と、上記ランス１３とランス孔２６との一次係止とにより、端子金具２０は二重係止状態となって確実に抜止めされる。
【００１９】
本実施形態においては、スタビライザ２７を端子金具２０の下面板２５における側縁よりも中央寄りの位置に配し、リテーナ３０の係止部３４を各スタビライザ２７と個別に係止するように複数に分離した形態としたので、隔壁１２には、係止部３４と干渉させずに仕切り部１７を設けることができた。この仕切り部２７が、隔壁１２を挟んで並ぶスタビライザ２７の間に介在するので、両スタビライザ２７間の沿面距離が長くなり、もって、端子金具２０同士の間のリークが防止される。
【００２０】
また、仕切り部１７には、端子金具２０における隔壁１２とは直角をなす下面板２５に沿いつつスタビライザ２７に向かって延出する延長部１８を形成したので、仕切り部１７の左右両側面の間の沿面距離は、その延長部１８の長さ分だけ長くなり、ひいては、隔壁１２を挟んで並ぶスタビライザ２７の間の沿面距離が更に長くなるのであって、これにより、両端子金具２０間のリーク防止効果が向上している。
【００２１】
さらに、リテーナ３０に仕切り部１７に向かって突出する形態の突壁３５を形成し、隔壁１２には突壁３５を嵌入させる嵌入凹部１９を形成したので、左右の両延長部１８の下面との間の沿面距離は、突壁３５の高さ分だけ長くなり、ひいては、隔壁１２を挟んで並ぶスタビライザ２７の間の沿面距離が更に長くなるのであって、両端子金具２０間のリーク防止効果がさらに向上している。
また、スタビライザ２７はランス孔２６の孔縁から突出させるように形成したので、ランス孔２６の形成に伴って除去される下面板２５の一部をスタビライザ２７として利用することができ、材料コストの低減を図ることができる。しかも、ランス孔２６の形成母体である下面板２５には、ランス孔２６とは別にスタビライザ形成用の専用開口を空けずに済むので、スタビライザ２７を形成したことによる下面板２５の強度低下を回避することができる。
【００２２】
［実施形態２］
次に、本発明を具体化した実施形態２を図１１及び図１２を参照して説明する。本実施形態２は、上記実施形態１において、隔壁１２及び仕切り部１７に嵌入凹部１９を設けず、リテーナ３０に突壁３５を設けない構成としたものである。その他の構成については上記実施形態１と同じであるため、同じ構成については、同一符号を付し、構造、作用及び効果の説明は省略する。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００２３】
（１）実施形態１及び２において、仕切り部には端子金具の外壁に沿ってスタビライザ側へ延出する延長部を設けず、仕切り部を隔壁とほぼ面一状に延出する形態としてもよい。
（２）実施形態１及び実施形態２において、スタビライザをランス孔の孔縁とは異なる位置に設けてもよい。
（３）上記実施形態では雄端子金具が挿入される雄型のコネクタについて説明したが、本発明は、雌端子金具が挿入される雌型のコネクタにも適用することができる。
【図面の簡単な説明】
【図１】ハウジングにリテーナを組み付けた状態の横断面図
【図２】ハウジングからリテーナを外した状態の横断面図
【図３】ハウジングにリテーナを組み付けた状態の縦断面図
【図４】ハウジングからリテーナと端子金具を外した状態の縦断面図
【図５】端子金具の一部切欠側面図
【図６】端子金具の正面図
【図７】端子金具の平面図
【図８】端子金具の底面図
【図９】リテーナの側面図
【図１０】リテーナの平面図
【図１１】実施形態２においてハウジングにリテーナを組み付けた状態の横断面図
【図１２】ハウジングからリテーナを外した状態の横断面図
【図１３】従来例においてハウジングにリテーナを組み付けた状態の横断面図
【図１４】従来例においてハウジングからリテーナを外した状態の横断面図
【符号の説明】
１０…ハウジング
１２…隔壁
１３…ランス
１７…仕切り部
１８…延長部
１９…嵌入凹部
２０…端子金具
２６…ランス孔
２７…スタビライザ
３０…リテーナ
３４…係止部
３５…突壁
【図１】
0003988439.tif 000002
【図２】
0003988439.tif 000003
【図３】
0003988439.tif 000004
【図４】
0003988439.tif 000005
【図５】
0003988439.tif 000006
【図６】
0003988439.tif 000007
【図７】
0003988439.tif 000008
【図８】
0003988439.tif 000009
【図９】
0003988439.tif 000010
【図１０】
0003988439.tif 000011
【図１１】
0003988439.tif 000012
【図１２】
0003988439.tif 000013
【図１３】
0003988439.tif 000014
【図１４】
0003988439.tif 000015